(57)【要約】【課題】  特許文献1に記載されたエレベーターの液晶表示板等は、運行状況等を表示するための電源を確保しなければならないため、そのための電源を供給する必要がある。本発明の目的は、扉に設置された表示機に電源供給できる機能を提供する。【解決手段】  開閉する扉１，２に備えられた表示機３，４と、電源ケーブル１１から表示機３，４の電源を供給する電源供給部７，８と、表示機３，４の電源を供給するために、電源供給部７，８から供給された電源を受信する電源受信部９，１０と、を備え、扉１，２が閉じたときに電源供給部７，８から供給された電源を電源受信部９，１０を介して表示機３，４に供給する。【選択図】  図２
2018184225.tif 000002
【特許請求の範囲】
【請求項１】
開閉する扉に備えられた表示機と、
電源ケーブルから前記表示機の電源を供給する電源供給部と、
前記表示機の電源を供給するために、前記電源供給部から供給された電源を受信する電源受信部と、を備え、
前記扉が閉じたときに前記電源供給部から供給された電源を前記電源受信部を介して前記表示機に供給する表示システム。
【請求項２】
請求項１に記載の表示システムにおいて、
前記電源供給部は、電源ケーブルから電源を供給できる接点として、左右の扉の上に複数箇所設置されており、前記電源受信部は、前記電源供給部に対応し、前記電源供給部から供給される電源を受信する接点として、左右の扉に設置されており、前記扉が閉じたときに前記電源供給部の接点と前記電源受信部の接点とを介して前記表示機に電源が供給される表示システム。
【請求項３】
請求項２に記載の表示システムにおいて、
前記電源供給部から前記電源受信部に電源を供給する際の手段として、電磁誘導を用いたワイヤレス通信方式を採用し、前記扉が閉じたときに前記表示機に電源を供給する表示システム。
【請求項４】
請求項２に記載の表示システムにおいて、
前記電源供給部と少なくとも２つの前記電源受信部を備えた扉において、一方の扉の電源受信部から、他方の電源受信部に電源を供給できる接点を設け、前記扉が閉じたときに前記接点を介して表示機に電源を供給する表示システム。
【請求項５】
請求項２に記載の表示システムにおいて、
前記電源供給部をエレベーター乗場の敷居に設けるとともに、前記電源受信部を前記扉の下に備え、前記扉が閉じたときに前記接点を介して前記表示機に電源を供給する表示システム。
【請求項６】
請求項２に記載の表示システムにおいて、
前記電源供給部を建屋の壁側に設けるとともに、前記電源受信部を前記扉の側面に備え、前記扉が閉じたときに前記接点を介して前記表示機に電源を供給する表示システム。
【発明の詳細な説明】
【技術分野】
【０００１】
本発明は表示システムに関する。
【背景技術】
【０００２】
エレベーターを利用する際、乗場で呼び登録を行い、インジケーターにてエレベーターの運行状況を表示する。特許文献１によれば、乗場扉に液晶表示板と照明板とを設置し、模様替え、広告、運行状況表示する扉を有するエレベーターを提供している。
【先行技術文献】
【特許文献】
【０００３】
【特許文献１】特開平６−３４５３７０号公報
【発明の概要】
【発明が解決しようとする課題】
【０００４】
特許文献1に記載されたエレベーターの液晶表示板等は、運行状況等を表示するための電源を確保しなければならないため、そのための電源を供給する必要がある。
本発明の目的は、扉に設置された表示機に電源供給できる機能を提供する。
【課題を解決するための手段】
【０００５】
上記目的を達成するため、本発明の表示システムは、開閉する扉に備えられた表示機と、電源ケーブルから表示機の電源を供給する電源供給部と、表示機の電源を供給するために、電源供給部から供給された電源を受信する電源受信部と、を備え、扉が閉じたときに電源供給部から供給された電源を電源受信部を介して表示機に供給する。
【発明の効果】
【０００６】
本発明によれば、エレベーターの扉に設置した表示機に電源を供給することができる。
【図面の簡単な説明】
【０００７】
【図１】実施例１における乗場側から見た乗場扉の図。
【図２】実施例１における昇降路側から見た乗場扉の図。
【図３】実施例１におけるかご内から見たかご扉の図。
【図４】実施例１における昇降路側から見たかご扉の図。
【図５】実施例１における乗場とかごの側面図。
【図６】実施例２におけるワイヤレス方式を用いた乗場扉の図。
【図７】実施例３における電源供給部を片側に設置した乗場扉の図。
【図８】実施例４における扉下に接点を設けた乗場扉の図。
【図９】実施例５における扉横に接点を設けた乗場扉の図。
【図１０】実施例５における扉横に接点を設けた乗場扉の上面から見た図。
【発明を実施するための形態】
【０００８】
以下、本発明に係るエレベーターの扉に設けられた表示システムを実施するための例を図に基づいて説明する。なお、各図において共通の部材には、同一の符号を付している。
【０００９】
[実施例１]
図１は、本発明に係る表示システムの実施例１における乗場側から見た乗場扉の図である。エレベーター乗場扉１，２に設置された乗場扉用表示機３，４を備えたエレベーターの乗場扉である。図２は、実施例１における昇降路側から見た乗場扉の図である。
【００１０】
本例では、エレベーターの乗場扉に設けられた表示システム例を示し、エレベーター乗場扉１，２に設置された乗場扉用表示機３，４を備えたエレベーターの乗場において、幕板５の昇降路側に電源ケーブル１１から電源を供給できる電源供給接点７、８を設け、扉１、２の上部に電源供給部７、８から電源を受信できる電源受信接点９、１０を備え、扉が閉まったときに電源受信接点９、１０を介して表示機３，４の表示ができる。
【００１１】
図３は、実施例１におけるかご内から見たかご扉の図である。エレベーターのかご扉１２，１３にかご扉用表示機１４，１５を備えたエレベーターかご扉である。
【００１２】
図４は、実施例１における昇降路側から見たかご扉の図である。本実施例に係るエレベーターの扉に設けられた表示システムの例を示し、エレベーターかご扉１２，１３に設置されたかご扉用表示機１４，１５を備えたエレベーターかごにおいて、かご扉上部に電源供給部１８，１９を設け、電源供給部１８，１９から電源を受信できる電源受信接点２０，２１を備え、かご扉が閉まったときに電源受信接点２０，２１を介して表示機３，４の表示ができる。
【００１３】
図５は、実施例１における乗場とかごの側面図である。本実施例に係るエレベーターの扉に表示システムを設置した乗場とかごの側面図を示し、乗場扉２２に乗場表示機２３が設置されており、塔内電源ケーブル２８から幕板２６に電源供給接点２５を設け、電源供給接点２５から電源を受信できる電源受信接点２４を備え、扉が閉まったときに電源受信接点２４を介して表示機の表示ができる。
【００１４】
また、エレベーターかご２８の扉に備えられた表示機２９は、エレベーター扉駆動装置部３２に電源供給接点３１を備え、電源供給接点３１から電源を受信できる電源受信接点３０を備え、かご扉が閉まったときに電源受信接点３０を介して表示機の表示ができる。
【００１５】
すなわち、表示システムは、扉に備えられた表示機と、電源ケーブルから表示機の電源を供給する電源供給部と、表示機の電源を供給するために、電源を受信する電源受信部とを備え、扉が閉じたときに電源供給部から電源受信部を介して表示機に電源を供給する。
【００１６】
また、表示システムの電源供給部とは、電源ケーブルから電源を供給できる接点として、左右の扉の上に複数箇所設置され、電源受信部とは、電源供給部に対応するものであり、電源を受信する接点として、左右の扉に設置されることで、扉が閉じたときに電源供給部の接点と電源受信部の接点とを介して表示機３，４に電源を供給する。
【００１７】
[実施例２]
図６は、ワイヤレス方式を用いた乗場扉の図である。なお、実施例１と共通する点は、説明を省略する。本実施例に係るエレベーターの扉の表示システムにワイヤレス方式を用いた扉の図を示す。エレベーター乗場扉１，２に電源受信モジュール３８，３９を設け、電源受信モジュール３８，３９の上部に電源供給モジュールを設けることで、扉が閉じている間は、接点を必要としない電磁誘導を利用したワイヤレス無線方式を採用して、表示機３，４に電源を供給する表示システムとなっている。
【００１８】
すなわち、表示システムにおいて、電源供給部と電源受信部の間の通信は、電磁誘導を用いたワイヤレス方式として、扉が閉じたときに表示機に電源を供給する。
【００１９】
[実施例３]
図７は、実施例３における電源供給部４０を片側に設置した乗場扉の図である。なお、上述した実施例と共通する点は、説明を省略する。本実施例に係るエレベーターの扉の表示システムに電源供給部を片側に設置した図を示す。電源供給部４０をエレベーター乗場扉１の上部に設置し、電源供給部４０から電源を受信できる電源受信部４１を備えることで表示機３の表示が行える。
【００２０】
また、乗場扉１，２の側面に接点４３，４４を設けることで、扉が閉まっている間、接点４３，４４が接触することで電源受信部４１から電源受信部４２に電源を供給することができ、電源受信部４２を介して表示機４の表示が行える。
【００２１】
すなわち、表示システムにおいて、電源供給部４０と２つの電源受信部４１，４２を備えた扉において、一方の扉の電源受信部４１から、他方の電源受信部４２に電源を供給できる接点を設け、扉が閉じたときに接点を介して表示機４に電源を供給する。
【００２２】
[実施例４]
図８は、実施例４における扉下に接点を設けた乗場扉の図である。なお、上述した実施例と共通する点は、説明を省略する。本実施例に係るエレベーター扉の表示システムに電源供給部を扉下部に設けた場合の図を示す。敷居３４に電源供給部４５，４６を設けることで、電源ケーブル１１から電源供給部４５，４６に電源を供給することができる。乗場扉１，２の下部に電源を受信する電源受信部４７，４８を設けることで、電源供給部４５，４６から電源を受信でき、電源受信部４７，４８を介して表示機３，４の表示が行える。
【００２３】
すなわち、表示システムにおいて、電源供給部４５，４６を敷居に、電源受信部４７，４８を扉の下に備え、扉が閉じたときに接点を介して表示機３，４に電源を供給する。
【００２４】
[実施例５]
図９は、実施例５における扉横に接点を設けた乗場扉の図である。なお、上述した実施例と共通する点は、説明を省略する。本実施例に係るエレベーター扉の表示システムに電源供給部を側面に設けた場合の図を示す。図１０は、実施例５における扉横に接点を設けた乗場扉の上面から見た図であり、図９を上面から見た図を示す。
【００２５】
建屋の壁に電源供給部４９，５０を設けることで、電源ケーブル１１から電源供給部４９，５０に電源を供給することができる。乗場扉１，２の側面に電源を受信する電源受信部５１，５２を設けることで、電源供給部４９，５０から電源を受信でき、電源受信部５１，５２を介して表示機３，４の表示が行える。
【００２６】
すなわち、表示システムにおいて、電源供給部４９，５０を建屋の壁側に、電源受信部５１，５２を扉の側面に備え、扉が閉じたときに接点を介して表示機３，４に電源を供給する。
【００２７】
以上説明したように、本例の表示装置によれば、エレベーターの扉に設置した表示機に電源を供給することができる。
【００２８】
なお、本発明は上述しかつ図面に示した実施の形態に限定されるものではなく、特許請求の範囲に記載した発明の要旨を逸脱しない範囲内で種々の変形実施が可能である。
【符号の説明】
【００２９】
１、２・・・乗場扉、３、４・・・乗場扉用表示機、５・・・幕板、６・・・ヘッダー、７、８，９，１０・・・接点
【図１】
2018184225.tif 000003
【図２】
2018184225.tif 000004
【図３】
2018184225.tif 000005
【図４】
2018184225.tif 000006
【図５】
2018184225.tif 000007
【図６】
2018184225.tif 000008
【図７】
2018184225.tif 000009
【図８】
2018184225.tif 000010
【図９】
2018184225.tif 000011
【図１０】
2018184225.tif 000012